(57)【要約】【課題】音声データに基づく放送をより効率的に行うことが可能な技術を提供する。【解決手段】音声バッファと、受信機によって受信された通報番号に対応する音声データおよび前記通報番号に対応する識別信号を受信する受信部と、前記識別信号に対応するプログラムを起動し、前記受信部によって受信された前記音声データが前記プログラムの機能によって放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、を備える、放送管理装置が提供される。【選択図】図１
2020129772.tif 000002
【特許請求の範囲】
【請求項１】
音声バッファと、
受信機によって受信された通報番号に対応する音声データおよび前記通報番号に対応する識別信号を受信する受信部と、
前記識別信号に対応するプログラムを起動し、前記受信部によって受信された前記音声データが前記プログラムの機能によって放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、
を備える、放送管理装置。
【請求項２】
前記識別信号は、前記識別信号から変換された２進数に対応する接点信号である、
請求項１に記載の放送管理装置。
【請求項３】
自動起動装置と放送管理装置と放送装置とを有する、放送システムであって、
前記自動起動装置は、
受信機によって受信された通報番号に対応する音声データと前記通報番号に対応する識別信号とを送信する送信部を備え、
前記放送管理装置は、
音声バッファと、
前記音声データおよび前記識別信号を受信する受信部と、
前記識別信号に対応するプログラムを起動し、前記受信部によって受信された前記音声データが前記プログラムの機能によって前記放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、
を備える、放送システム。
【請求項４】
自動起動装置と放送管理装置と親局と子局とを有する、放送システムであって、
前記自動起動装置は、
受信機によって受信された通報番号に対応する音声データと前記通報番号に対応する識別信号とを送信する送信部を備え、
前記放送管理装置は、
音声バッファと、
前記音声データおよび前記識別信号を受信する受信部と、
前記識別信号に対応するプログラムを起動し、前記受信部によって受信された前記音声データが前記プログラムの機能によって前記親局を介して前記子局に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記親局を介して前記子局に出力されるように制御する制御部と、
を備える、放送システム。
【発明の詳細な説明】
【技術分野】
【０００１】
本発明は、放送管理装置および放送システムに関するものである。
【背景技術】
【０００２】
近年、緊急に伝えるべき内容を瞬時に放送するシステムとして全国瞬時警報システムが知られている。全国瞬時警報システムにおいては、受信機によって受信された通報番号に対応した音声データが放送装置に出力されると、放送装置からは音声データに基づく放送が１回実行される。しかし、放送装置において１回放送が行われるだけでは、不都合が生じる場合がある。例えば、役場に職員が不在の場合（例えば、土日祝日）などに、放送内容を住民に周知させる必要があっても、職員による放送のための操作が行われないため、住民に放送内容が周知されない。
【０００３】
その他、放送システムに関する各種の先行技術文献が開示されている。例えば、防災放送システムにおいて、親局が放送形態（放送回数を含む）を放送内容と共に子局に送信しておくと、子局が親局からの放送指示に基づいてその放送内容を放送形態に合わせて放送および表示する技術が開示されている（例えば、特許文献１参照）。また、親局が子局に対して放送回数を含む放送内容の送信を行うと、子局が親局によって指定された放送回数の放送を行う技術が開示されている（例えば、特許文献２参照）。
【０００４】
また、全国瞬時警報システムにおいて通報信号を受信すると自治体の防災無線を使用して住民に通報内容を報知する技術が開示されている（例えば、特許文献３および特許文献４参照）。
【先行技術文献】
【特許文献】
【０００５】
【特許文献１】特開２０１３−２２９７３２号公報
【特許文献２】特開平９−８７５３号公報
【特許文献３】特開２０１４−１６４４１８号公報
【特許文献４】特開２０１６−２１２９１９号公報
【発明の概要】
【発明が解決しようとする課題】
【０００６】
しかしながら、音声データに基づく放送をより効率的に行うことが可能な技術が望まれている。
【０００７】
そこで、本発明は、上記問題に鑑みてなされたものであり、音声データに基づく放送をより効率的に行うことが可能な技術を提供する。
【課題を解決するための手段】
【０００８】
上記問題を解決するために、本発明のある観点によれば、音声バッファと、受信機によって受信された通報番号に対応する音声データおよび前記通報番号に対応する識別信号を受信する受信部と、前記識別信号に対応するプログラムを起動し、前記受信部によって受信された前記音声データが前記プログラムの機能によって放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、を備える、放送管理装置が提供される。
【０００９】
前記識別信号は、前記識別信号から変換された２進数に対応する接点信号であってもよい。
【００１０】
また、本発明の他の観点によれば、自動起動装置と放送管理装置と放送装置とを有する、放送システムであって、前記自動起動装置は、受信機によって受信された通報番号に対応する音声データと前記通報番号に対応する識別信号とを送信する送信部を備え、前記放送管理装置は、音声バッファと、前記音声データおよび前記識別信号を受信する受信部と、前記識別信号に対応するプログラムを起動し、前記受信部によって受信された前記音声データが前記プログラムの機能によって前記放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、を備える、放送システムが提供される。
【００１１】
また、本発明の他の観点によれば、自動起動装置と放送管理装置と親局と子局とを有する、放送システムであって、前記自動起動装置は、受信機によって受信された通報番号に対応する音声データと前記通報番号に対応する識別信号とを送信する送信部を備え、前記放送管理装置は、音声バッファと、前記音声データおよび前記識別信号を受信する受信部と、前記識別信号に対応するプログラムを起動し、前記受信部によって受信された前記音声データが前記プログラムの機能によって前記親局を介して前記子局に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記親局を介して前記子局に出力されるように制御する制御部と、を備える、放送システムが提供される。
【発明の効果】
【００１２】
以上説明したように本発明によれば、音声データに基づく放送をより効率的に行うことが可能な技術が提供される。
【図面の簡単な説明】
【００１３】
【図１】本発明の実施形態に係る放送システムの構成例を示した説明図である。
【図２】本発明の実施形態に係る同報無線自動起動装置の機能構成例を示すブロック図である。
【図３】本発明の実施形態に係る操作卓の機能構成例を示すブロック図である。
【図４】本発明の実施形態に係る親局の機能構成例を示すブロック図である。
【図５】本発明の実施形態に係る子局の機能構成例を示すブロック図である。
【図６】本発明の実施形態に係る放送システムの機能詳細について説明するための図である。
【発明を実施するための形態】
【００１４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１５】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１６】
（１．放送システムの構成）
図１を参照しながら、本発明の実施形態に係る放送システムの構成例について説明する。図１は、本発明の実施形態に係る放送システムの構成例を示した説明図である。図１に示したように、本発明の実施形態に係る放送システム１は、受信機５０と、同報無線自動起動装置６０と、操作卓１０と、親局装置（以下、単に「親局」とも言う。）２０と、子局装置（以下、単に「子局」とも言う。）３０と、を有する。放送システム１は、全国瞬時警報システムに相当し得る。
【００１７】
受信機５０は、ネットワーク４０と接続されており、ネットワーク４０を介して有線によって通報番号を受信する。また、受信機５０は、アンテナ５３０を有しており、アンテナ５３０を介して無線によって通報番号を受信する。例えば、受信機５０は、ネットワーク４０またはアンテナ５３０を介して、通報番号を受信する。そして、受信機５０は、通報番号を有線によって同報無線自動起動装置６０に送信する。なお、受信機５０は、通報番号を無線によって同報無線自動起動装置６０に送信してもよい。ここで、通報番号は、放送すべき１または複数の音声データに対応する情報（１または複数の音声データを識別するための情報）である。
【００１８】
以下では、１つの通報番号に最大１５個の音声データが対応する場合を想定する。しかし、１つの通報番号に対応する音声データの数は限定されない。また、通報番号に対応する音声データの種類も限定されない。例えば、音声データは、津波警報、噴火警報、地震警報などであってよい。通報番号は、全国瞬時警報システムを管理している消防庁などの省庁の端末から受信機５０に送信される。例えば、通報番号は、消防庁の端末から送信されるが、情報の発信源は内閣官房または気象庁から発信され、消防庁の端末を経由して受信機５０に送信される。また、音声データの長さ（再生時間）も限定されない。例えば、音声データの長さは、２分程度の短い時間であってよい。
【００１９】
同報無線自動起動装置６０は、受信機５０から有線によって通報番号を受信する。そして、同報無線自動起動装置６０は、受信機５０から有線によって通報番号に対応する音声データを有線によって操作卓１０に送信する。さらに、同報無線自動起動装置６０は、通報番号に対応するグループ番号を有線によって操作卓１０に送信する。グループ番号は、プログラム識別信号に相当し得る。なお、プログラムは、操作卓１０によって記憶されており、当該プログラムには、音声データの放送に関する詳細情報（例えば、音声自動応答サービス、庁内放送など）があらかじめ設定可能である。
【００２０】
操作卓１０は、同報無線自動起動装置６０から通報番号に対応する音声データおよびグループ番号を受信する。ここでは、操作卓１０が親局２０と有線によって接続されている場合を想定する。しかし、操作卓１０は、無線によって親局２０と接続されていてもよい。操作卓１０は、受信したグループ番号によって識別されるプログラムを起動し、同報無線自動起動装置６０から受信した音声データを、当該プログラムを用いて親局２０に送信する。
【００２１】
親局２０は、操作卓１０によって送信された音声データを受信する。そして、親局２０は、操作卓１０から受信した音声データを子局３０に送信する。本発明の実施形態では、親局２０が、アンテナ２３０を有し、操作卓１０から受信したデータを、アンテナ２３０を介して無線によって子局３０に送信する場合を主に想定する。なお、音声データは、あらかじめ指定された子局ＩＤに対応する子局３０に送信されてもよいし、あらかじめ指定されたグループに属する１または複数の子局３０に送信されてもよいし、全部の子局３０に対して一括で送信されてもよい。例えば、音声データの送信先は、「放送先」としてあらかじめ設定されてよい。
【００２２】
子局３０は、親局２０から送信された音声データを受信する。本発明の実施形態では、子局３０が自局に固有のアンテナ３３０を有し、親局２０から送信された音声データを、自局に固有のアンテナ３３０を介して無線によって受信する場合を想定する。また、子局３０は、自局に固有のスピーカ３４０を有し、親局２０から受信した音声データが、自局に固有のスピーカ３４０から出力されるようにスピーカ３４０を制御する。
【００２３】
音声データの出力方式には、リアルタイム方式と放送予約方式とがある。リアルタイム方式は、子局３０が親局２０から音声データを受信すると、受信した音声データをリアルタイムにスピーカから出力する方式である。一方、放送予約方式は、放送予約時に子局３０が親局２０から音声データを受信すると、受信した音声データを記憶領域に記憶させておき、その音声データに対応する放送予定時刻に現在時刻が到達して親局２０から再生要求を受信すると、既に記憶領域によって記憶されている音声データをスピーカから出力する方式である。以下では、音声データの出力方式としてリアルタイム方式が用いられる場合を主に想定する。
【００２４】
一般的に全国瞬時警報システムにおいては、受信機５０によって受信された通報番号に対応した音声データが子局３０に出力されると、子局３０からは音声データに基づく放送が１回実行される。しかし、子局３０において１回放送が行われるだけでは、不都合が生じる場合がある。例えば、役場に職員が不在の場合（例えば、土日祝日）などに、放送内容を住民に周知させる必要があっても、職員による放送のための操作が行われないため、住民に放送内容が周知されない。
【００２５】
そこで、本発明の実施形態では、音声データに基づく放送をより効率的に行うことが可能な技術について主に説明する。より具体的には、操作卓１０において、同報無線自動起動装置６０から受信されたグループ番号によって識別されるプログラムに対応して繰返回数が定義されている場合、音声バッファに音声データを記録する。そして、操作卓１０は、音声バッファに記録した音声データが親局２０を介して子局３０に繰返回数だけ繰り返し出力する。これによって、音声データに基づく放送をより効率的に行うことが可能となる。
【００２６】
以上、本発明の実施形態に係る放送システム１の構成例について説明した。
【００２７】
（２−１．同報無線自動起動装置の機能構成）
続いて、本発明の実施形態に係る同報無線自動起動装置６０の機能構成例について説明する。図２は、本発明の実施形態に係る同報無線自動起動装置６０の機能構成例を示すブロック図である。図２に示したように、本発明の実施形態に係る同報無線自動起動装置６０は、制御部６１０、記憶部６２０、受信部６３０および通信部６４０を備える。
【００２８】
制御部６１０は、同報無線自動起動装置６０の動作全体を制御する機能を有し、専用のハードウェアによって構成されてもよいし、同報無線自動起動装置６０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部６１０は、受信機５０から通報番号が受信部６３０によって受信されると、通報番号に対応するグループ番号および音声データが通信部６４０によって操作卓１０に送信されるように通信部６４０を制御する。
【００２９】
記憶部６２０は、制御部６１０を動作させるためのプログラムやデータを記憶することができる。また、記憶部６２０は、制御部６１０の動作の過程で必要となる各種データを一時的に記憶することもできる。
【００３０】
受信部６３０は、受信機５０から通報番号を受信する通信インタフェースである。受信部６３０によって受信された通報番号は、制御部６１０に出力される。
【００３１】
通信部６４０は、制御部６１０による制御に従って、通報番号に対応するグループ番号を操作卓１０に送信する通信インタフェースである。また、通信部６４０は、制御部６１０による制御に従って、音声データを操作卓１０に送信する通信インタフェースである。また、通信部６４０は、制御部６１０による制御に従って、放送起動信号および放送終了信号を送信する。また、通信部６４０は、操作卓１０から起動完了信号を受信する。
【００３２】
以上、本発明の実施形態に係る同報無線自動起動装置６０の機能構成例について説明した。
【００３３】
（２−２．操作卓の機能構成）
続いて、本発明の実施形態に係る操作卓１０の機能構成例について説明する。図３は、本発明の実施形態に係る操作卓１０の機能構成例を示すブロック図である。図３に示したように、本発明の実施形態に係る操作卓１０は、制御部１１０、記憶部１２０、通信部１３０および送信部１４０を備える。なお、操作卓１０は、放送を管理する放送管理装置として機能し得る。
【００３４】
制御部１１０は、操作卓１０の動作全体を制御する機能を有し、専用のハードウェアによって構成されてもよいし、操作卓１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部１１０は、同報無線自動起動装置６０からグループ番号が通信部１３０によって受信されると、グループ番号に対応するプログラムを起動する。
【００３５】
制御部１１０は、通信部１３０によって受信された音声データが、起動したプログラムの機能によって親局２０を介して子局３０に出力されるように送信部１４０を制御する。そして、制御部１１０は、グループ番号に対応する繰返回数が定義されている場合、音声バッファに音声データを記録し、音声バッファに記録された音声データが当該プログラムの機能によって繰返回数だけ繰り返し親局２０を介して子局３０に出力されるように制御する。
【００３６】
記憶部１２０は、制御部１１０を動作させるためのプログラムやデータを記憶することができる。また、記憶部１２０は、制御部１１０の動作の過程で必要となる各種データを一時的に記憶することもできる。記憶部１２０は、音声データが記録される音声バッファを有している。
【００３７】
通信部１３０は、同報無線自動起動装置６０から音声データおよびグループ番号を受信する通信インタフェースである。通信部１３０によって受信された音声データおよびグループ番号は、制御部１１０に出力される。また、通信部１３０は、同報無線自動起動装置６０から放送起動信号および放送終了信号を受信する。また、通信部６４０は、操作卓１０から起動完了信号を受信する。また、通信部１３０は、制御部１１０による制御に従って、起動完了信号を同報無線自動起動装置６０に送信する通信インタフェースである。
【００３８】
送信部１４０は、制御部１１０による制御に従って、音声データおよびグループ番号を、親局２０を介して子局３０に送信する通信インタフェースである。
【００３９】
以上、本発明の実施形態に係る操作卓１０の機能構成例について説明した。
【００４０】
（２−３．親局の機能構成）
続いて、本発明の実施形態に係る親局２０の機能構成例について説明する。図４は、本発明の実施形態に係る親局２０の機能構成例を示すブロック図である。図４に示したように、本発明の実施形態に係る親局２０は、制御部２１０、記憶部２２０およびアンテナ２３０を備える。
【００４１】
制御部２１０は、親局２０の動作全体を制御する機能を有し、専用のハードウェアによって構成されてもよいし、親局２０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部２１０は、操作卓１０から音声データが入力されると、入力された音声データがアンテナ２３０によって子局３０に送信されるようにアンテナ２３０を制御する。
【００４２】
記憶部２２０は、制御部２１０を動作させるためのプログラムやデータを記憶することができる。また、記憶部２２０は、制御部２１０の動作の過程で必要となる各種データを一時的に記憶することもできる。
【００４３】
アンテナ２３０は、無線信号を送信する機能を有している。アンテナ２３０は、制御部２１０による制御に従って、制御部２１０によって生成されたデータを無線信号により子局３０に送信する通信インタフェースである。
【００４４】
以上、本発明の実施形態に係る親局２０の機能構成例について説明した。
【００４５】
（２−４．子局の機能構成）
続いて、本発明の実施形態に係る子局３０の機能構成例について説明する。図５は、本発明の実施形態に係る子局３０の機能構成例を示すブロック図である。図５に示したように、子局３０は、制御部３１０、記憶部３２０、アンテナ３３０およびスピーカ３４０を備える。なお、子局３０は、放送を行う放送装置として機能し得る。また、スピーカ３４０は、子局３０の外部に存在していてもよい。
【００４６】
制御部３１０は、子局３０の動作全体を制御する機能を有し、専用のハードウェアによって構成されてもよいし、子局３０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。例えば、制御部３１０は、アンテナ３３０によって音声データが受信されると、アンテナ３３０によって音声データをスピーカ３４０に出力する。
【００４７】
記憶部３２０は、制御部３１０を動作させるためのプログラムやデータを記憶することができる。また、記憶部３２０は、制御部３１０の動作の過程で必要となる各種データを一時的に記憶することもできる。
【００４８】
アンテナ３３０は、無線信号を受信する機能を有している。アンテナ３３０は、制御部３１０による制御に従って、親局２０から無線信号により送信されたデータを受信する通信インタフェースである。
【００４９】
以上、本発明の実施形態に係る子局３０の機能構成例について説明した。
【００５０】
（２−５．放送システムの機能詳細）
続いて、図６を参照しながら（適宜図１〜図５も参照しながら）、本発明の実施形態に係る放送システム１の機能詳細について説明する。
【００５１】
図６は、本発明の実施形態に係る放送システム１の機能詳細について説明するための図である。図６に示したように、受信機５０は、ネットワーク４０またはアンテナ５３０を介して、通報番号を受信する（Ｓ１１）。受信機５０によって受信された通報番号は、（例えば、０１〜ＦＦまでのいずれかを示す番号として）同報無線自動起動装置６０に送信される（Ｓ１２）。同報無線自動起動装置６０において、記憶部６２０は、通報番号と音声データ（最大１５個の音声データ）とグループ番号とを対応付けて記憶している。ここでは、一例としてグループ番号が１０進数である場合を想定する。
【００５２】
同報無線自動起動装置６０において、受信部６３０によって通報番号が受信されると、制御部６１０は、受信部６３０によって受信された通報番号に対応する音声データおよびグループ番号を記憶部６２０から取得する。制御部６１０は、記憶部６２０から取得したグループ番号が通信部６４０によって操作卓１０に出力されるように通信部６４０を制御する。
【００５３】
ここでは、制御部６１０が、記憶部６２０から取得したグループ番号を１０進数から２進数に変換する場合を想定する。このとき、グループ番号は、当該２進数に対応する接点信号（例えば、図６に示したグループ接点のいずれかを介したＯＮ信号）であってよい。さらに、制御部６１０は、放送起動信号（例えば、図６に示した放送起動接点を介したＯＮ信号）が通信部６４０によって操作卓１０に出力されるように通信部６４０を制御する（Ｓ１３）。
【００５４】
操作卓１０において、通信部１３０によってグループ番号が受信されると、制御部１１０は、通信部１３０によって受信されたグループ番号に対応するプログラムを起動する。そして、制御部１１０は、通信部１３０によって放送起動信号が受信されると、親局２０を介して子局３０に放送起動信号を送信し（Ｓ１５）、放送起動信号の送信から所定時間が経過した場合に、子局３０が起動したとして起動完了信号（例えば、図６に示した起動完了接点を介したＯＮ信号）が同報無線自動起動装置６０に送信されるように通信部１３０を制御する（Ｓ１５）。同報無線自動起動装置６０において、通信部６４０によって起動完了信号が受信されると、制御部６１０は、記憶部６２０から取得した音声データが通信部６４０によって操作卓１０に出力されるように通信部６４０を制御する（Ｓ１５）。
【００５５】
操作卓１０において、通信部１３０によって音声データが受信されると、制御部１１０は、通信部１３０によって受信された音声データが、起動したプログラムの機能によって、親局２０を介して子局３０に送信されるように送信部１４０を制御する。親局２０において、アンテナ２３０によって音声データが受信されると、アンテナ２３０によって子局３０に音声データが転送される。そして、子局３０において、アンテナ３３０によって音声データが受信されると、スピーカ３４０によって音声データが出力される。これによって、子局３０による１回目の放送が行われる。
【００５６】
さらに、制御部１１０は、グループ番号に対応する繰返回数が定義されている場合、通信部１３０によって受信された音声データを音声バッファ１２１に記録する。そして、制御部１１０は、音声バッファ１２１に記録された音声データが当該プログラムの機能によって繰返回数だけ繰り返し親局２０を介して子局３０に出力されるように送信部１４０を制御する。親局２０において、アンテナ２３０によって音声データが受信されると、アンテナ２３０によって子局３０に音声データが転送される。そして、子局３０において、アンテナ３３０によって音声データが受信されると、スピーカ３４０によって音声データが出力される。これによって、子局３０による２回目以降の放送が行われる。
【００５７】
なお、グループ番号に対応する繰返回数が定義されていない場合（すなわち、繰返回数が０回である場合）、通信部１３０によって受信された音声データは、音声バッファ１２１に記録されてもよいし、記録されなくてもよいが、制御部１１０は、音声データが親局２０を介して子局３０に再度出力されないようにする。
【００５８】
同報無線自動起動装置６０において、制御部６１０は、通報番号に対応する音声データの出力が終わると（再生が終わると）、放送終了信号（例えば、図６に示した放送終了接点を介したＯＮ信号）が操作卓１０に送信されるように通信部６４０を制御する（Ｓ１６）。操作卓１０においては、通信部１３０によって放送終了信号が受信されると、制御部１１０は、スピーカ３４０からの音声データの出力を終了する。
【００５９】
（３．本発明の実施形態の有効性）
本発明の実施形態によれば、音声バッファと、受信機によって受信された通報番号に対応する音声データおよび前記通報番号に対応する識別信号を受信する受信部と、前記識別信号に対応するプログラムを起動し、前記受信部によって受信された前記音声データが前記プログラムの機能によって放送装置に出力されるように制御し、前記識別信号に対応する繰返回数が定義されている場合、前記音声バッファに前記音声データを記録し、前記音声バッファに記録された前記音声データが前記プログラムの機能によって前記繰返回数だけ繰り返し前記放送装置に出力されるように制御する制御部と、を備える、放送管理装置が提供される。
【００６０】
かかる構成によれば、音声データに基づく放送をより効率的に行うことが可能となる。例えば、役場に職員が不在の場合（例えば、土日祝日）などにおいて、放送内容を住民に周知させる必要があれば、職員による放送のための操作が行われなくても、放送内容が繰し返し出力されるため、住民に放送内容が周知され得る。
【００６１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６２】
１      放送システム
１０    操作卓
１１０  制御部
１２０  記憶部
１２１  音声バッファ
１３０  通信部
１４０  送信部
２０    親局
２１０  制御部
２２０  記憶部
２３０  アンテナ
３０    子局
３１０  制御部
３２０  記憶部
３３０  アンテナ
３４０  スピーカ
４０    ネットワーク
５０    受信機
５３０  アンテナ
６０    同報無線自動起動装置
６１０  制御部
６２０  記憶部
６３０  受信部
６４０  通信部
【図１】
2020129772.tif 000003
【図２】
2020129772.tif 000004
【図３】
2020129772.tif 000005
【図４】
2020129772.tif 000006
【図５】
2020129772.tif 000007
【図６】
2020129772.tif 000008